(57)【要約】【課題】スケジュール作成作業の軽減化を図る。【解決手段】コンテンツを一覧表示する一覧表示領域と、サイネージ端末において再生する対象コンテンツおよび当該対象コンテンツの再生順序を設定するための領域であって所定の表示期間におけるグリッド状の領域を所定の時間単位で有している編集領域とを有するスケジュール設定画面を生成し、前記一覧表示領域に表示された所望のコンテンツをドラッグし、前記編集領域の所望の時刻に対応する領域に当該コンテンツをドロップすることにより、前記コンテンツを所望の再生時間に配置したスケジュールを設定するスケジュール設定部を備える。【選択図】図９
2013186497.tif 000002
【特許請求の範囲】
【請求項１】
コンテンツを一覧表示する一覧表示領域と、サイネージ端末において再生する対象コンテンツおよび当該対象コンテンツの再生順序を設定するための領域であって所定の表示期間におけるグリッド状の領域を所定の時間単位で有している編集領域とを有するスケジュール設定画面を生成し、前記一覧表示領域に表示された所望のコンテンツをドラッグし、前記編集領域の所望の時刻に対応する領域に当該コンテンツをドロップすることにより、前記コンテンツを所望の再生時間に配置したスケジュールを設定するスケジュール設定部を備える、
ことを特徴とするスケジュール設定装置。
【請求項２】
前記スケジュール設定部は、スケジュールを設定した前記コンテンツについて、再生の繰り返し回数と、決められた期間における同一のコンテンツの再生の繰り返しと、もしくは決められた期間の毎時定分におけるコンテンツの再生の繰り返しと、の少なくともいずれか一つを指定可能である、
ことを特徴とする請求項１記載のスケジュール設定装置。
【請求項３】
前記スケジュール設定部は、既にスケジュールされたコンテンツが配置されている前記編集領域上の位置に別のコンテンツがドロップされた場合には、ドロップされたコンテンツの配置場所を変更する、
ことを特徴とする請求項１または２記載のスケジュール設定装置。
【請求項４】
前記スケジュール設定画面は、ドラッグ対象のコンテンツに対して優先度を設定する優先度編集領域を有しており、
前記スケジュール設定部は、既にスケジュールされたコンテンツが配置されている前記編集領域上の位置に別のコンテンツがドロップされた場合には、優先度が高いコンテンツを優先する、
ことを特徴とする請求項１ないし３のいずれか一記載のスケジュール設定装置。
【請求項５】
前記スケジュール設定部は、優先度が低いコンテンツが既にスケジュールされた優先度の高いコンテンツ上にドロップされた場合には、重複不可とする、
ことを特徴とする請求項４記載のスケジュール設定装置。
【請求項６】
コンピュータを、
コンテンツを一覧表示する一覧表示領域と、サイネージ端末において再生する対象コンテンツおよび当該対象コンテンツの再生順序を設定するための領域であって所定の表示期間におけるグリッド状の領域を所定の時間単位で有している編集領域とを有するスケジュール設定画面を生成し、前記一覧表示領域に表示された所望のコンテンツをドラッグし、前記編集領域の所望の時刻に対応する領域に当該コンテンツをドロップすることにより、前記コンテンツを所望の再生時間に配置したスケジュールを設定するスケジュール設定部として機能させることを特徴とするプログラム。
【発明の詳細な説明】
【技術分野】
【０００１】
本発明の実施形態は、スケジュール設定装置およびプログラムに関する。
【背景技術】
【０００２】
広告、イベント、お知らせ等のコンテンツを不特定者に提示する仕組みとして、表示装置等のサイネージ端末にデジタル化されたコンテンツを表示させるシステム、いわゆるデジタルサイネージシステムが知られている。
【発明の概要】
【発明が解決しようとする課題】
【０００３】
コンテンツデータをサイネージ端末に再生させるには、再生のためのスケジュールを作成する必要がある。しかしながら、再生のためのスケジュールを作成することは、ＩＴスキルのないユーザにとっては大変な作業であり、このような作業の軽減化を図る必要がある。
【課題を解決するための手段】
【０００４】
実施形態のスケジュール設定装置は、コンテンツを一覧表示する一覧表示領域と、サイネージ端末において再生する対象コンテンツおよび当該対象コンテンツの再生順序を設定するための領域であって所定の表示期間におけるグリッド状の領域を所定の時間単位で有している編集領域とを有するスケジュール設定画面を生成し、前記一覧表示領域に表示された所望のコンテンツをドラッグし、前記編集領域の所望の時刻に対応する領域に当該コンテンツをドロップすることにより、前記コンテンツを所望の再生時間に配置したスケジュールを設定するスケジュール設定部を備える。
【０００５】
実施形態のプログラムは、コンピュータを、コンテンツを一覧表示する一覧表示領域と、サイネージ端末において再生する対象コンテンツおよび当該対象コンテンツの再生順序を設定するための領域であって所定の表示期間におけるグリッド状の領域を所定の時間単位で有している編集領域とを有するスケジュール設定画面を生成し、前記一覧表示領域に表示された所望のコンテンツをドラッグし、前記編集領域の所望の時刻に対応する領域に当該コンテンツをドロップすることにより、前記コンテンツを所望の再生時間に配置したスケジュールを設定するスケジュール設定部として機能させる。
【図面の簡単な説明】
【０００６】
【図１】図１は、本実施形態にかかる情報処理システムの概略構成を示すブロック図である。
【図２】図２は、サイネージ端末装置の外観正面図である。
【図３】図３は、サイネージ端末装置の概略構成を示すブロック図である。
【図４】図４は、情報配信サーバの概略構成を示すブロック図である。
【図５】図５は、コンテンツデータベースに蓄積されるデータの構成を示す図である。
【図６】図６は、情報配信サーバの機能構成を示すブロック図である。
【図７】図７は、シナリオ管理画面の一例を示す正面図である。
【図８】図８は、スケジュール設定画面の一例を示す正面図である。
【図９】図９は、スケジュール設定画面におけるドラッグ＆ドロップの様子を示す正面図である。
【図１０】図１０は、繰り返し設定画面の一例を示す正面図である。
【図１１】図１１は、繰り返し設定画面の一例を示す正面図である。
【図１２】図１２は、繰り返し設定画面の一例を示す正面図である。
【図１３】図１３は、スケジュールアイテムの配置例を示す正面図である。
【図１４】図１４は、スケジュールアイテムの重複配置例を示す説明図である。
【図１５】図１５は、スケジュールアイテムの重複配置例を示す説明図である。
【図１６】図１６は、スケジュールアイテムの重複配置例を示す説明図である。
【図１７】図１７は、スケジュールアイテムが配置領域の両端部に跨って配置された例を示す説明図である。
【発明を実施するための形態】
【０００７】
図１は、本実施形態にかかる情報処理システムの概略構成を示すブロック図である。以下の説明では、本実施形態にかかる情報処理システムがショッピングモールに設けられた場合について説明する。
【０００８】
本実施形態にかかる情報処理システム１０は、デジタルサイネージ管理装置である情報配信サーバ１１と、デジタルサイネージ再生装置である複数のサイネージ端末装置１４とを備えている。
【０００９】
情報配信サーバ１１は、構内ＬＡＮ（Local  Area  Network）等の通信ネットワーク１２を介してサイネージ端末装置１４に接続されており、商品の広告情報やイベントの情報などの情報のコンテンツをサイネージ端末装置１４に対して配信、またコンテンツをサイネージ端末装置１４からのアクセスによって取得させる。
【００１０】
サイネージ端末装置１４は、通信ネットワーク１２を介して情報配信サーバ１１から配信または取得したコンテンツデータを再生して表示する。
【００１１】
図２は、サイネージ端末装置の外観正面図である。サイネージ端末装置１４は、液晶ディスプレイあるいはプラズマディスプレイとして構成されたディスプレイユニット２１と、各種チケット，クーポン等を印刷して発行するプリンタユニット２２と、ディスプレイユニット２１，プリンタユニット２２を保持する筐体部２４と、を備えている。
【００１２】
筐体部２４の上部には、人物を撮影して画像認識を行い、人物の年齢層を特定し、配信する情報の種類を制御する等の用途に用いられるカメラユニット２５と、ＢＧＭや広告音声等の各種音響出力を行うスピーカユニット２６が内蔵されている。なお、画像認識等の処理は、サイネージ端末装置１４で行うことなく、情報配信サーバ１１等の上流側サーバで行っても良い。
【００１３】
図３は、サイネージ端末装置の概略構成を示すブロック図である。サイネージ端末装置１４は、上述したディスプレイユニット２１、プリンタユニット２２、カメラユニット２５、およびスピーカユニット２６の他、当該サイネージ端末装置１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、各種データを記憶する外部記憶装置３５と、を備えている。
【００１４】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツを再生して、再生したコンテンツをディスプレイユニット２１に表示する。また、操作部３２は、各種スイッチ、ボタン等で構成したり、タッチパネルとしてディスプレイユニット２１と一体に構成したりしても良い。
【００１５】
図４は、情報配信サーバの概略構成を示すブロック図である。情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末装置１４との間で通信を行うためのネットワーク通信インタフェース（ＩＦ）４３と、各種データを記憶する外部記憶装置４４と、液晶ディスプレイとして構成されたディスプレイユニット４５と、を備えている。
【００１６】
ここで、コントローラ４１は、当該コントローラ４１全体を制御するＭＰＵ４６、ＭＰＵ４６が動作するための制御プログラム等を格納したＲＯＭ４７と、各種データを一時的に記憶するＲＡＭ４８と、を備えている。
【００１７】
外部記憶装置４４は、素材データベースＤＢ１と、コンテンツデータベースＤＢ２とを格納している。素材データベースＤＢ１は、外部装置から提供されるコンテンツの素材データを蓄積する。コンテンツデータベースＤＢ２はコンテンツデータを蓄積する。
【００１８】
なお、本実施形態では、情報配信サーバ１１が有する外部記憶装置４４に素材データベースＤＢ１、コンテンツデータベースＤＢ２が格納されているが、これに限定するものではなく、例えば、情報配信サーバ１１と通信ネットワーク１２を介して接続された記憶装置（図示せず）に素材データベースＤＢ１、コンテンツデータベースＤＢ２が記憶されていても良い。
【００１９】
図５は、コンテンツデータベースＤＢ２に蓄積されるデータの構成を示す図である。図５に示すように、コンテンツデータベースＤＢ２には、コンテンツを識別する識別情報としてコンテンツＩＤと、当該コンテンツＩＤにより識別されるコンテンツのコンテンツ名と、当該コンテンツＩＤにより識別されるコンテンツデータ（動画像、静止画像、テロップなど）と、が蓄積されている。
【００２０】
ところで、コンテンツデータベースＤＢ２に蓄積されるコンテンツデータをデジタルサイネージ再生装置に再生させるには、再生のためのスケジュールを作成する必要がある。しかしながら、再生のためのスケジュールを作成することは、ＩＴスキルのないユーザにとっては大変な作業であり、このような作業の軽減化を図る必要がある。
【００２１】
次に、上述したような問題を解決するために、本実施形態にかかるスケジュール設定装置である情報配信サーバ１１が有する特徴的な機能について説明する。図６は、情報配信サーバの機能構成を示すブロック図である。コントローラ４１は、ＲＯＭ４７に記憶された制御プログラムに従ってＭＰＵ４６を動作させることで、図６に示すように、スケジュール設定部４６１として機能する。
【００２２】
スケジュール設定部４６１は、コンテンツデータ（動画像、静止画像、テロップなど）あるいは番組（コンテンツデータを再生順に並べたもの）を所望の再生時間に配置したスケジュールを設定する。
【００２３】
次に、スケジュール設定部４６１によるスケジュール設定処理について詳細に説明する。スケジュール設定部４６１は、例えば新規にスケジュールを設定する場合には、まず、図７のシナリオ管理画面１０１を表示する。シナリオ管理画面１０１は、サイネージ端末装置１４のディスプレイユニット２１に表示するコンテンツデータおよびその表示順番などのシナリオ（プレイリスト）を管理する画面である。そして、ユーザが操作部４２を操作してシナリオ管理画面１０１上のスケジュールを選択するボタンＢ１を操作したと判断すると、スケジュール設定部４６１は、図８のスケジュール設定画面１０２に遷移する。
【００２４】
ここで、図８（ａ）は日単位が選択されたスケジュール設定画面１０２、図８（ｂ）は週単位が選択されたスケジュール設定画面１０２を示している。なお、特に図示しないが、スケジュール設定画面１０２は月単位のスケジュール設定の選択も可能となっている。なお、以後においては、日単位のスケジュール設定を例に説明する。
【００２５】
ここで、図８（ａ）に示すように、スケジュール設定画面１０２は、一覧表示領域１０２１と、編集領域１０２２と、優先度編集領域１０２３とを有している。一覧表示領域１０２１は、外部記憶装置４４のコンテンツデータベースＤＢ２に記憶されたコンテンツを一覧表示する領域である。本実施形態では、一覧表示領域１０２１には、コンテンツの代表画像Ｐが表示される。なお、本実施形態では、一覧表示領域１０２１には、コンテンツデータベースＤＢ２に記憶されたコンテンツの代表画像Ｐを表示しているが、コンテンツデータベースＤＢ２に記憶されたコンテンツに関わる情報の一覧を表示するものであれば、これに限定するものではない。例えば、一覧表示領域１０２１には、コンテンツデータベースＤＢ２に記憶されたコンテンツ名等を表示しても良い。
【００２６】
また、編集領域１０２２は、サイネージ端末装置１４において再生する対象コンテンツおよび当該対象コンテンツの再生順序を設定するための領域であって、本実施形態では、選択された表示期間（１時間、２時間、３時間などの単位）でタイムラインＴＬが配置される。
【００２７】
タイムラインＴＬは、図８に示されるように、後述するスケジュールアイテムＩ（図９等参照）を配置するためのグリッド状の配置領域を１分刻みで有している。なお、タイムラインＴＬは、例えば３時間から１時間へと表示期間を変更することができる。こうすることにより、スケジュールアイテムＩ（図９等参照）を配置するための１分刻みの領域を拡大して表示することが可能になり、スケジュールアイテムＩの配置が容易になる。
【００２８】
なお、タイムラインＴＬに一定の表示幅が確保されない場合には、一覧表示領域１０２１には、コンテンツの代表画像Ｐが表示されない。
【００２９】
また、タイムラインＴＬは、時間帯や日付を変更することができる。さらに、前述したように、タイムラインＴＬは、週単位、月単位のスケジュールを設定することも可能である。
【００３０】
さらに、優先度編集領域１０２３は、再生対象となるドラッグ対象のコンテンツに対して優先度を設定するための領域である。優先度は、優先度の高い順から“高”“中”“低”の３段階で表される。例えば、優先度は後述する割込み制御に用いるもので、同刻の時間に再生するコンテンツが複数ある場合、優先度が高いものを優先する。
【００３１】
情報配信サーバ１１のユーザは、操作部４２を操作して、図９に示すように一覧表示領域１０２１に表示された所望のコンテンツ画像Ｐをドラッグし、編集領域１０２２のタイムラインＴＬのうち所望の時刻に対応する配置領域にコンテンツ画像Ｐをドロップすることにより、タイムラインＴＬ上にスケジュールアイテムＩが配置され、対象コンテンツおよび当該対象コンテンツの再生順序が設定される。なお、ドラッグしたコンテンツ画像Ｐは、タイムラインＴＬ上の開始時間の升目（グリッド）に位置すると、コンテンツの設定された再生開始時刻から再生終了時刻までを自動的に塗り潰すような略矩形形状のスケジュールアイテムＩで表示される。スケジュールアイテムＩは、再生コンテンツ、当該再生コンテンツの再生所要時間に応じた再生開始時刻および再生終了時刻、連続して再生する繰返し回数などを情報として有している。
【００３２】
なお、配置ができない領域（本実施形態であれば、スケジュールアイテムＩはタイムラインＴＬ上の配置領域にしか指定できない）にコンテンツ画像Ｐをドロップした場合は、スケジュールアイテムＩを配置することはできない。
【００３３】
また、タイムラインＴＬ上にスケジュールアイテムＩを配置した後、配置後のスケジュールアイテムＩの移動や削除を行うことも可能である。
【００３４】
このようにしてスケジュールアイテムＩを配置した後、スケジュールアイテムＩの繰返し設定が行える。ユーザは、配置された所望のスケジュールアイテムＩを操作部４２の操作により指定してスケジュール設定画面１０２の繰返しボタンＢ１を押すと、スケジュール設定部４６１は、図１０ないし図１２に示す繰り返し設定画面１０３を表示する。図１０ないし図１２に示すように、繰り返し設定画面１０３には、繰返回数設定タブＴ１、時間帯指定タブＴ２、開始定刻指定タブＴ３が設けられている。
【００３５】
図１０に示すように、繰返回数設定タブＴ１が選択された状態では、回数設定エリア１０３１において再生の繰り返し回数を指定することができる。
【００３６】
また、図１１に示すように、時間帯指定タブＴ２が選択された状態では、時間帯指定エリア１０３２において、決められた期間（例えば9:00〜12:00の３時間）について同一のコンテンツの再生を繰り返すことを指定することができる。
【００３７】
また、図１２に示すように、開始定刻指定タブＴ３が選択された状態では、開始定刻指定エリア１０３３において、決められた期間の毎時定分にコンテンツの再生を繰り返すことを指定することができる。
【００３８】
このようにして繰り返しを設定したスケジュールアイテムＩは、複数のスケジュールアイテムＩになる。例えば開始定刻指定タブＴ３で10:00〜12:00の毎時３0分に再生する設定をした場合、図１３に示すようにスケジュールアイテムＩは２つとなる。
【００３９】
なお、スケジュールアイテムＩの繰返し設定によって、繰り返し設定先に別のコンテンツに対応するスケジュールアイテムＩが配置されている場合、ユーザにとっては確認が難しいため、繰返し設定ができない状態とする。また、繰返し設定ができない状態にせずに、再生できない可能性がある旨の表示を行うようにしても良い。
【００４０】
ところで、ドラッグ＆ドロップによってタイムラインＴＬ上にスケジュールアイテムＩを配置するにあたって、既にスケジュールアイテムＩが配置されている位置に画像Ｐをドロップしてしまう場合がある。このような場合には、互いの優先度が同じ場合には、スケジュール設定部４６１は、図１４（ａ）や図１４（ｂ）に示すように配置領域に合わせてドロップ位置を前または後ろにスライドする。なお、スライド先にもドロップできない場合には、配置を中止する。
【００４１】
図１４（ａ）は、ドラッグ対象であるスケジュールアイテムＩＡがドロップ被対象のスケジュールアイテムＩＢよりも再生開始時刻が遅く、かつ、再生終了時刻も遅い場合であって、スケジュールアイテムＩＡをスケジュールアイテムＩＢの後にスライドさせた例である。
【００４２】
図１４（ｂ）は、ドラッグ対象であるスケジュールアイテムＩＡがドロップ被対象のスケジュールアイテムＩＢよりも再生開始時刻が早く、かつ、再生終了時刻も早い場合であって、スケジュールアイテムＩＡをスケジュールアイテムＩＢの前にスライドさせた例である。
【００４３】
一方、既にスケジュールアイテムＩが配置されている位置に画像Ｐがドロップされることによって、優先度が高いスケジュールアイテムＩが優先度の低いスケジュールアイテムＩ上に配置されることになった場合、スケジュール設定部４６１は、図１５に示すように上書することを可能とする。このような場合には、優先度の低いスケジュールアイテムＩに対応するコンテンツは優先度の高いスケジュールアイテムＩに対応するコンテンツの再生終了後に、途中から再生されることになる。これらの優先度は、表示されるスケジュールアイテムＩの背景色の濃淡や色により変更することで、分かりやすくすることができる。なお、優先度が低いスケジュールアイテムＩが優先度の高いスケジュールアイテムＩ上に配置された場には、重複不可とする。
【００４４】
図１６（ａ）は、ドラッグ対象であるスケジュールアイテムＩＡがドロップ被対象のスケジュールアイテムＩＢよりも再生開始時刻が早く、かつ、再生終了時刻も早い場合であって、スケジュールアイテムＩＡをスケジュールアイテムＩＢの前にスライドさせたが、スライド先に優先度の高いスケジュールアイテムＩＣが配置されている場合である。この場合には、スケジュールアイテムＩＣに対してスケジュールアイテムＩＡを重複することはできないので、スケジュールアイテムＩＡを配置することはできない。
【００４５】
図１６（ｂ）は、ドラッグ対象であるスケジュールアイテムＩＡがドロップ被対象のスケジュールアイテムＩＢよりも再生開始時刻が早く、かつ、再生終了時刻も早い場合であって、スケジュールアイテムＩＡをスケジュールアイテムＩＢの前にスライドさせ、スライド先に優先度の低いスケジュールアイテムＩＣが配置されている場合である。この場合には、スケジュールアイテムＩＣに対してスケジュールアイテムＩＡを重複配置することができる。
【００４６】
なお、スケジュール設定部４６１は、図１７に示すように、タイムラインＴＬ上の配置領域の両端部において一つのスケジュールアイテムＩが跨って配置される場合には、両者が同一のスケジュールアイテムＩであることがわかるように表示する。例えば、スケジュールアイテムＩの形状を矩形形状の角が面取りされた形状としておき、タイムラインＴＬ上の配置領域の両端部において跨って配置される場合には、端部において切断されたような形状とすることで、継続していることをユーザに認識させることができる。また、両者が同一のスケジュールアイテムＩであることがわかるように色を同色にするのでも良い。
【００４７】
そして、ユーザが操作部４２を操作してスケジュール設定画面１０２の確定ボタンＢ２が操作されると、スケジュールが確定したと判断して、スケジュール設定部４６１は、設定したスケジュールアイテムＩが有している再生開始時刻、再生終了時刻、再生コンテンツ、連続して再生する繰返し回数などの情報を登録する。
【００４８】
デジタルサイネージ再生装置であるサイネージ端末装置１４は、上述のようにして生成されたスケジュールアイテムおよびコンテンツデータを情報配信サーバ１１から自ら取得、または情報配信サーバ１１から配信を受け取る。サイネージ端末装置１４は、スケジュールアイテムおよびコンテンツデータを受け取ると、スケジュールアイテムに基づき、再生開始時刻に、コンテンツデータの再生を指定された回数だけ実行する。サイネージ端末装置１４は、スケジュールアイテムが重複する場合には、優先度や登録日付などに基づき再生するコンテンツデータを決定する。
【００４９】
このように、本実施形態のスケジュール設定装置によれば、コンテンツを一覧表示する一覧表示領域１０２１と、サイネージ端末装置１４において再生する対象コンテンツおよび当該対象コンテンツの再生順序を設定するための領域であって所定の表示期間におけるグリッド状の領域を所定の時間単位で有している編集領域１０２２とを有するスケジュール設定画面１０２を生成し、一覧表示領域１０２１に表示された所望のコンテンツをドラッグし、編集領域１０２２の所望の時刻に対応する領域に当該コンテンツをドロップすることにより、コンテンツを所望の再生時間に配置したスケジュールを設定するスケジュール設定部４６１を備える。これにより、ユーザは、コンテンツデータをサイネージ端末装置１４に再生させるためのスケジュールを簡単な作業で作成することができるようになるので、スケジュール作成作業の軽減化を図ることができる。
【００５０】
本実施形態の情報配信サーバ１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５１】
また、本実施形態の情報配信サーバ１１で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１１        スケジュール設定装置
１０２      スケジュール設定画面
４６１      スケジュール設定部
１０２１    一覧表示領域
１０２２    編集領域
１０２３    優先度編集領域
【先行技術文献】
【特許文献】
【００５４】
【特許文献１】特開２０１０−０７９７７０号公報
【図１】
2013186497.tif 000003
【図２】
2013186497.tif 000004
【図３】
2013186497.tif 000005
【図４】
2013186497.tif 000006
【図５】
2013186497.tif 000007
【図６】
2013186497.tif 000008
【図７】
2013186497.tif 000009
【図８】
2013186497.tif 000010
【図９】
2013186497.tif 000011
【図１０】
2013186497.tif 000012
【図１１】
2013186497.tif 000013
【図１２】
2013186497.tif 000014
【図１３】
2013186497.tif 000015
【図１４】
2013186497.tif 000016
【図１５】
2013186497.tif 000017
【図１６】
2013186497.tif 000018
【図１７】
2013186497.tif 000019